(57)【要約】【課題】簡易な構成により、シート収納部の引き出しに伴うシートのダメージの発生を防ぐ給送装置を提供する。【解決手段】シート収納部が引き出し可能に構成された給送装置のシートの給送先である装置とのシートの搬送路上の接続部分において、滞留シートの有無を検出する。シート収納部の引き出し指示に応じて、シート収納部が給送装置に固定された状態から、当該状態を解除してシート収納部を引き出し可能な状態とする解除動作を、滞留シートの検出結果に基づいて制御する。【選択図】図５
2019112151.tif 000002
【特許請求の範囲】
【請求項１】
シートを収納するシート収納部が引き出し可能に構成され、所定の装置と接続可能な給送装置であって、
前記シート収納部からシートを給送する給送手段と、
前記給送手段に給送されたシートを搬送方向下流側の前記所定の装置へとさらに搬送する搬送手段と、
前記搬送手段よりも搬送方向下流側に設けられ、搬送経路上の滞留シートの有無を検出する検出手段と、
前記シート収納部を収納された状態で固定する固定手段と、
前記シート収納部の引き出し指示に応じて、前記固定手段の固定を解除して前記シート収納部を引き出し可能な状態とする解除手段と、
前記検出手段による検出結果に基づいて、前記解除手段の解除を制御する制御手段と、
を備えることを特徴とする給送装置。
【請求項２】
前記制御手段は、前記検出結果が滞留シートありであれば、前記解除手段に解除させないよう前記解除手段を制御することを特徴とする請求項１に記載の給送装置。
【請求項３】
前記制御手段は、前記給送装置において所定の処理が開始された場合に前記検出結果が滞留シートありであれば、前記解除手段に解除させないよう前記解除手段を制御することを特徴とする請求項２に記載の給送装置。
【請求項４】
前記所定の処理は、前記給送先である装置へのシートの給送処理であることを特徴とする請求項３に記載の給送装置。
【請求項５】
前記制御手段は、前記検出結果が滞留シートなしとなるまで、前記解除手段に解除させないよう前記解除手段を制御することを特徴とする請求項２乃至４のいずれか１項に記載の給送装置。
【請求項６】
前記搬送手段は、前記滞留シートを除去する除去動作を行なうことが可能であり、
前記制御手段は、前記除去動作により前記滞留シートが除去され、前記検出結果が滞留シートなしとなれば、前記解除手段に解除させるよう前記解除手段を制御する、
ことを特徴とする請求項５に記載の給送装置。
【請求項７】
前記除去動作は、前記滞留シートを装置の外部へ前記搬送手段によって搬送することにより、前記滞留シートを除去する動作であることを特徴とする請求項６に記載の給送装置。
【請求項８】
前記除去動作は、前記滞留シートを前記シート収納部へ引き込むことにより、前記滞留シートを除去する動作であることを特徴とする請求項６に記載の給送装置。
【請求項９】
前記給送装置が前記所定の装置から分離されたことを検出する第２の検出手段、をさらに備え、
前記制御手段は、前記第２の検出手段により当該分離が検出されると、前記除去動作を行なう、
ことを特徴とする請求項６乃至８のいずれか１項に記載の給送装置。
【請求項１０】
前記シート収納部の引き出し方向は、前記搬送方向と交差する方向であることを特徴とする請求項１乃至９のいずれか１項に記載の給送装置。
【請求項１１】
請求項１乃至１０のいずれか１項に記載の前記給送装置と、
前記給送装置から給送されたシートに画像を形成する画像形成手段と、
を備える画像形成装置。
【請求項１２】
請求項１乃至１０のいずれか１項に記載の前記給送装置と、
前記給送装置の給送先の装置であり、前記給送装置から給送されたシートに画像を形成する画像形成装置と、
を備える画像形成システム。
【請求項１３】
シートを収納するシート収納部が引き出し可能に構成され、所定の装置と接続可能な給送装置において実行される制御方法であって、
前記シート収納部からシートを給送する給送工程と、
給送されたシートを搬送方向下流側の前記所定の装置へと搬送手段によってさらに搬送する搬送工程と、
前記搬送手段よりも前記搬送方向下流側において、搬送経路上の滞留シートの有無を検出する検出工程と、
前記シート収納部を収納された状態で固定する固定工程と、
前記シート収納部の引き出し指示に応じて、前記固定を解除して前記シート収納部を引き出し可能な状態とする解除工程と、
前記検出工程における検出結果に基づいて、前記解除工程での解除を制御する制御工程と、
を有することを特徴とする制御方法。
【発明の詳細な説明】
【技術分野】
【０００１】
本発明は、シートを給送可能な給送装置、画像形成装置、画像形成システム、および制御方法に関する。
【背景技術】
【０００２】
給紙装置を備えた画像形成装置において、画像形成装置本体からの離間が可能なサイドペーパーデッキなどの給紙装置（給送装置）が知られている。例えば、ジャムとなったシートの除去を行う際に、給紙装置が画像形成装置本体から離間される。離間を行ってシートを除去した後、給紙装置を画像形成装置に装着する際に、給紙装置を動かす方向と給紙装置から画像形成装置へとシートを搬送する方向とが同一方向であれば、シートに対して搬送方向に強い力が働く。その結果、給紙装置の給紙ニップにシートが進入してしまうことがある。
【０００３】
給紙装置では、シート補給の際に搬送方向と垂直な方向にシート収納部を引き出し可能なように構成されている場合がある。ここで、シートが給紙ニップ領域に進入した状態でシート収納部を引き出すと、シートが給紙ニップ領域に引っ掛かった状態で引き出されることになり、結果、シートが引き裂かれてしまうという問題があった。
【０００４】
特許文献１では、そのような問題を解決するため、シート収納カセットを引き出す動作に連動して給紙ローラのニップを解除し、カセットからはみ出たシートをシート収納カセット側に戻す構成が記載されている。
【先行技術文献】
【特許文献】
【０００５】
【特許文献１】特開２００３−００２４７４号公報
【発明の概要】
【発明が解決しようとする課題】
【０００６】
しかしながら、特許文献１では、シートの引き裂きを防止できるものの、専用の機構を設けることによる装置の複雑化やコスト増加を招いてしまう。
【０００７】
本発明の目的は、このような従来の問題点に鑑み、簡易な構成により、シート収納部の引き出しに伴うシートのダメージの発生を防ぐ給送装置、画像形成装置、画像形成システム、および制御方法を提供することを目的とする。
【課題を解決するための手段】
【０００８】
上記課題を解決するため、本発明に係る給送装置は、シート収納部が引き出し可能に構成された給送装置であって、前記給送装置のシートの給送先である装置とのシートの搬送路上の接続部分において、滞留シートの有無を検出する検出手段と、前記シート収納部の引き出し指示に応じて、前記シート収納部が前記給送装置に固定された状態から、当該状態を解除して前記シート収納部を引き出し可能な状態とする解除手段と、前記検出手段による検出結果に基づいて、前記解除手段の解除を制御する制御手段とを備えることを特徴とする。
【発明の効果】
【０００９】
本発明によれば、簡易な構成により、シート収納部の引き出しに伴うシートのダメージの発生を防ぐことができる。
【図面の簡単な説明】
【００１０】
【図１】画像形成装置の構成を示す図である。
【図２】給紙デッキ部が離間した状態を示す図である。
【図３】給紙デッキ部の構成を示す図である。
【図４】給送装置における制御系のブロック構成を示す図である。
【図５】給紙デッキ部のシート収納部の開放制御の処理を示すフローチャートである。
【図６】給紙デッキ部のシート収納部の開放制御の処理を示すフローチャートである。
【発明を実施するための形態】
【００１１】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１２】
［第１の実施形態］
図１は、本実施形態における画像形成システム１００の構成を示す図である。画像形成システム１００は、装置本体１と装置本体１に接続可能な給紙デッキ２（給送装置）を備える。図１（ａ）は、給紙デッキ２が装置本体１に装着されている状態を示し、図１（ｂ）は、給紙デッキ２が装置本体１から離間されている状態を示している。給紙デッキ２を装置本体１から離間させた状態では、例えば、ユーザがジャムの原因となったシートを除去することが可能となる。
【００１３】
装置本体１は、記録媒体上に画像を形成する画像形成部として、感光ドラム１０と、レーザスキャナ１１と、ミラー１２と、帯電器１３と、現像器１４と、転写ローラ１５と、クリーナ１６とを上部に備えている。帯電器１３は、感光ドラム１０の表面を均一に帯電させる。レーザスキャナ１１は、画像形成対象の画像データのパターンを、ミラー１２を介して、帯電器１３により帯電された感光ドラム１０へ照射する。その結果、静電潜像が感光ドラム１０上に形成される。現像器１４は、レーザスキャナ１１によって形成された静電潜像をトナー像に顕像化することで現像を行う。転写ローラ１５は、感光ドラム１０の表面に顕象化されたトナー像をシートＳに転写する。クリーナ１６は、トナー像を転写した後に感光ドラム１０に残留したトナーを除去する。図１では、電子写真方式による構成を示しているが、インクジェット記録方式等、他の記録方式が装置本体１に採用されても良い。
【００１４】
シート搬送方向上、画像形成部の下流側には、トナー像が転写されたシートＳを搬送するための搬送部１７と、搬送部１７により搬送されるシートＳ上のトナー像を永久画像として定着させるための定着器１８とが設けられている。また、定着器１８の下流側には、定着器１８によってトナー像が定着されたシートＳを装置本体１から排出させるための排出ローラ１９が設けられている。装置本体１の上部外側には、排出ローラ２４によって排出されたシートＳを受け取るための、排出シート積載トレイ２０が設けられている。
【００１５】
カセット給紙トレイ３０ａ〜３０ｄは、シート搬送路における最上流に位置するように設けられており、シートＳを所定枚数収納可能である。カセット給紙トレイ３０ａ〜３０ｄの下流には、カセット給紙ローラ対３１ａ〜３１ｄが設けられており、シート束から最上位のシートＳをピックアップする。ピックアップされたシートＳは、引き抜きローラ対３２ａ〜３２ｄにより縦搬送パス３３へ搬送される。装置本体１の側面には、手差し給紙部３０ｅが設けられている。手差し給紙部３０ｅの下流には、手差し給紙ローラ対３１ｅが設けられており、シートＳをピックアップする。ピックアップされたシートＳは縦搬送パス３３へ搬送される。
【００１６】
給紙デッキ２は、１０００枚単位等の比較的大容量のシートの積載に対応可能に構成されており、本実施形態において、手差し給紙部３０ｅの下部に着脱可能に構成されている。給紙デッキ２は、積載収納されたシート束から最上位のシートＳをピックアップローラ３１ｆによって給紙ローラ対３１ｇにニップされるまで搬送し、給紙ローラ対３１ｇによって分離を行って１枚ずつ、給送先となる装置本体１側（搬送方向下流側）に給紙する。このように、給紙デッキ２はシートの積載が占める空間が大きいために、構造上、ピックアップローラ３１ｆによりピックアップされたシートＳの給送部分は、そのまま給紙ローラ対３１ｇへ給送されることが可能な高さに位置する。
【００１７】
シートＳは、引き抜きローラ対３２ａにより縦搬送パス３３へ搬送される。縦搬送パス３３の最下流位置には、レジストローラ対３４があり、シートの斜行補正と、画像書き込みとシート搬送のタイミング合わせを行う。また、図１（ｂ）に示すように、ジャム処理などのために装置本体１から給紙デッキ２が離間する際は、図１（ａ）では給紙デッキ２の内部に収納されている着脱レール３５に沿って給紙デッキ２が装置本体１から離れるように移動する。
【００１８】
図２は、給紙デッキ２の外観斜視図であり、シート収納部３が引き出された状態を示している。ユーザは、例えばシートの補給のために、シート収納部３を図２に示すように引き出す。特に、図２は、給紙デッキ２が装置本体１から離間され、シート収納部３が引き出された状態を示している。
【００１９】
給紙デッキ２は、シートＳを積載して昇降可能な積載板３６と、一対のフレーム３７とからなるシート収納部３を有している。収納部３は筐体の内側両側面において、開閉レール３８によりスライド可能に支持されている。図２に示すように、そのスライド方向は、シートＳの装置本体１へ供給する搬送方向と交差している。
【００２０】
また、給紙デッキ２は、シート収納部３を開放するための指示を受け付けるスイッチ３９が設けられている。ユーザは、シート収納部３を引き出す際には、スイッチ３９を押下する。スイッチ３９が押下されると、シート収納部３は、シート収納部３を手前側に引き出すことができる引き出し可能位置へ向かって、不図示の付勢部材によって、開閉レール３８に沿って押し出される。引き出し可能位置からは、ユーザがシート収納部３をシート補給可能位置へ手動で引き出すことが可能になり、引き出された状態で、シートＳを補給することができる。
【００２１】
図３は、給紙デッキ２の概略構成図である。シート収納部３は、シートを積載する積載板３６と、積載板３６上のシートの有無を検出するためのシート有無センサ４０と、積載板３６に積載したシートの上面を検出するための上面センサ４１と、下限センサ４２と、が設けられている。シート有無センサ４０及び上面センサ４１は、不図示のフラグ部を有する。ここで、シート有無センサ４０は、例えば測距センサである。シート有無センサ４０の検出点は、上面センサ４１の検出点よりも下方に設けられており、積載板３６の積載面には、シート有無センサ４０がシートの有無を検出するための凹部（例えば溝）が設けられている。シートＳが積載された積載板３６は、不図示の昇降機構によって図３中のＨ方向（昇降方向）に移動する。そして、積載板３６は、シート有無センサ４０と上面センサ４１の各検出結果により、積載収納されたシート束の最上面が常に給紙のために適正な高さとなるように制御される。
【００２２】
給紙デッキ２には、脱着センサ４３及び搬送路センサ４４が設けられている。脱着センサ４３は、給紙デッキ２が装置本体１に装着されているか否かを検出する。搬送路センサ４４は、給紙ローラ対３１ｇの搬送方向上の下流側に設けられ、給紙ローラ対３１ｇよりも下流側でシートの有無を検知する。搬送路センサ４４により、装置本体１と給紙デッキ２との搬送路接続部分において、搬送経路上のシートの滞留（ジャム）を検出可能である。
【００２３】
着脱レール３５は、例えば伸縮する機構を有する。本実施形態において、着脱レール３５は、装置本体１への装着時に給紙デッキ２の内部へ収納される。また、着脱レール３５は、装置本体１への装着時に装置本体１の内部へと収納される構成であっても良い。
【００２４】
上述したように、構造上、ピックアップローラ３１ｆによりピックアップされたシートＳの給送部分は、そのまま給紙ローラ対３１ｇへ給送されることが可能な高さに位置する。つまり、給紙デッキ２を装置本体１に装着する際に、給紙デッキ２を動かす方向と給紙デッキ２から装置本体１へとシートを搬送する方向とがほぼ同一方向となる。従って、装着の際にシートに対して搬送方向に強い力が働けば、給紙デッキ２の給紙ローラ対３１ｇにシートが進入してしまうことがある。また、給紙ローラ対３１ｇを介して装置本体１側へ進入して跨ってしまうことがあり、その場合、ユーザがジャムを解除して給紙デッキ２を装置本体１を装着しても、ジャムが発生した状態となってしまう。さらには、そのような状態のまま、ユーザがスイッチ３９を押下してシート収納部３を引き出そうとすると、ジャムの位置にあるシートが破れてしまう。
【００２５】
そこで、本実施形態では、給紙デッキ２と装置本体１とのシート搬送路上の接続部分において滞留しているシート（滞留シート）を検出した場合には、スイッチ３９の押下を受け付けても、シート収納部３を引き出し可能位置へ押し出す動作を行わない。そのような構成により、シートにダメージを与えてしまうことを防ぐことができる。
【００２６】
図４は、給紙デッキ２の制御系のブロック構成を示す図である。図４には、装置本体１と、給紙デッキ２と、表示部４７とが示されている。表示部４７は、例えば、操作パネルであって、装置本体１の上部に構成される。表示部４７は、装置情報や設定画面、ジョブ情報等、各種のユーザインタフェース画面を表示し、また、ユーザからのジョブの実行指示や機能の設定操作を受け付ける。図４の装置本体１は、ＣＰＵを備えるコントローラを有しており、ジョブ等に基づいて装置本体１を統括的に制御する。例えば、装置本体１のＣＰＵは、給紙デッキ２のＣＰＵ４５と相互に通信し、給紙から記録媒体への画像形成までの一連の処理を制御する。
【００２７】
給紙デッキ２のコントローラ６０は、ＣＰＵ４５、ＲＯＭ６１、ＲＡＭ６２を含む。例えば、ＣＰＵ４５がＲＯＭ６１に記憶されたプログラムをＲＡＭ６２に読み出して実行することにより、コントローラ６０は、給紙デッキ２の動作を制御する。例えば、装置本体１のＣＰＵは、ジョブ実行時の給紙タイミングにおいて、給紙デッキ２のＣＰＵ４５に対して給紙要求を送信し、ＣＰＵ４５は、装置本体１のＣＰＵから給紙要求を受信すると、装置本体１に対して給紙動作を行うよう給紙デッキ２を制御する。
【００２８】
脱着センサ４３及び搬送路センサ４４からの検知信号は、ＣＰＵ４５に送信される。また、スイッチ３９の押下によるシート収納部３の開放要求信号は、ＣＰＵ４５に送信される。ＣＰＵ４５は、例えば、搬送路センサ４４により給紙ローラ対３１ｇよりも下流側の装置本体１との接続部分に滞留シートを検出した場合は、滞留シートの存在を示す通知信号を装置本体１へ送信する。装置本体１のＣＰＵは、その通知信号を受信すると、ジャムの発生を通知するジャム通知画面を表示部４７に表示させる。もしくは、表示部４７が給紙デッキ２側に設けられ、滞留シートを検出すると、ＣＰＵ４５がジャム通知画面を表示部４７に表示させるようにしても良い。
【００２９】
ＣＰＵ４５は、スイッチ３９から開放要求信号を受信すると、搬送路センサ４４による検知信号に基づいて、シート収納部３の開放動作を制御する。例えば、搬送路センサ４４による検知信号が滞留シート無しを示している場合には、ＣＰＵ４５は、スイッチ３９からの開放要求信号の受信に応じて、ドライバ５４を介してロックソレノイド５５によるシート収納部３の固定状態を解除する。これにより、シート収納部３を開放させる（ロック解除）。一方、搬送路センサ４４による検知信号が滞留シート有りを示している場合には、ＣＰＵ４５は、シート収納部３の開放動作を制限する。つまり、ＣＰＵ４５は、スイッチ３９からの開放要求信号を受信しても、上記のシート収納部３の開放動作を行わない。また、ＣＰＵ４５は、給紙デッキ２が所定の処理を実行している場合にも、シート収納部３の開放動作を制限する。上記の開放動作を制限する２つの場合については後述する。
【００３０】
さらに、ＣＰＵ４５は、入出力インタフェース（Ｉ／Ｏ）５１に接続されたモータドライバ５２を介して、シートの搬送路上の各種モータ５３を駆動し、各種ローラの駆動を駆動する。ここで、各種ローラには、ピックアップローラ３１ｆ及び給紙ローラ対３１ｇが含まれる。
【００３１】
図５は、シート収納部３の開放制御の処理の手順を示すフローチャートである。図５の処理は、例えば、ＣＰＵ４５がＲＯＭ６１に記憶されたプログラムをＲＡＭ６２に読み出して実行することにより実現される。ＣＰＵ４５は、例えば、画像形成装置１の電源がＯＮの状態で、ユーザによって給紙デッキ２のスイッチ３９が押下され、シート収納部３の開放要求信号を受信すると、図５の処理を開始する。
【００３２】
Ｓ１０１において、ＣＰＵ４５は、給紙ローラ対３１ｇのニップ部にシートＳが進入してジャムが発生しているかを判断するために、搬送路センサ４４がオンであるかオフであるかを判定する。ここで、搬送路センサ４４がオフであると判定された場合、ジャムが発生していないと判断し、Ｓ１０８に進む。Ｓ１０８において、ＣＰＵ４５は、ドライバ５４を介してロックソレノイド５５によるシート収納部３の固定状態を解除してシート収納部３を開放させる。その後、図５の処理を終了する。
【００３３】
一方、Ｓ１０１で搬送路センサ４４がオンであると判定された場合、ジャムが発生していると判断し、Ｓ１０２に進む。Ｓ１０２において、ＣＰＵ４５は、シート収納部３の開放動作を制限する。つまり、ＣＰＵ４５は、Ｓ１０３〜Ｓ１０７の処理が行われるまで、シート収納部３の開放動作を行わない。
【００３４】
Ｓ１０３において、ＣＰＵ４５は、装置本体１に対して、ジャムの発生を通知する。装置本体１のＣＰＵは、ジャムの発生の通知を受信すると、表示部４７にジャムの発生を知らせるメッセージを表示させる。また、ジャム通知の際には併せて、装置本体１から給紙デッキ２を離間するように促すメッセージが表示される。例えば、「給紙デッキ内でジャムが発生しています。給紙デッキを本体から離間させて、そのまま待機して下さい。」のメッセージが表示部４７に表示される。なお、「シート収納部はロックされています。」等、スイッチ３９が無効とされていることを通知するようにしても良い。
【００３５】
Ｓ１０４において、ＣＰＵ４５は、給紙デッキ２が装置本体１から離間したか否かを判断するために、脱着センサ４３がオフかオンかを判定する。ここで、脱着センサ４３がオフであると判定された場合、Ｓ１０５に進む。脱着センサ４３がオンであると判定された場合、脱着センサ４３がオフであると判定されるまでＳ１０４の処理を繰り返す。
【００３６】
Ｓ１０５において、ＣＰＵ４５は、給紙ローラ対３１ｇの駆動を開始して、滞留しているシートを装置外部へ排出する除去動作を行なう。例えば、ＣＰＵ４５は、滞留しているシートを装置外部へ排出するように、給紙ローラ対３１ｇを駆動させる。若しくは、ＣＰＵ４５は、滞留しているシートを装置内部の積載板３６へ引き込むように、給紙ローラ対３１ｇを駆動させても良い。その場合には、給紙ローラ対３１ｇの回転方向は、滞留しているシートを装置外部へ排出する場合とは逆回転となるように制御される。
【００３７】
Ｓ１０６において、ＣＰＵ４５は、給紙ローラ対３１ｇの下流側の接続部分に滞留しているシートが給紙ローラ対３１ｇの下流側の接続部分から除去されたか否かを判定するために、搬送路センサ４４がオフであるかオンであるかを判定する。滞留しているシートは、排出若しくは積載板３６へ戻されることにより、給紙ローラ対３１ｇの下流側の接続部分から除去される。ここで、搬送路センサがオフであると判定された場合、Ｓ１０７に進む。一方、搬送路センサ４４がオンであると判定された場合、搬送路センサ４４がオフであると判定されるまでＳ１０６の処理を繰り返す。
【００３８】
Ｓ１０７において、ＣＰＵ４５は、給紙ローラ対３１ｇの駆動を停止する。そして、Ｓ１０８において、ＣＰＵ４５は、ドライバ５４を介してロックソレノイド５５によるシート収納部３の固定状態を解除してシート収納部３を開放させる。その後、図５の処理を終了する。
【００３９】
以上のように、本実施形態によれば、装置本体１と給紙デッキ２との間のシート搬送路上の接続部分にシートが滞留している状態では、シート収納部３の開放動作を制限し、所定の条件が満たされるまでシート収納部３の開放動作を保留する。ここでの所定の条件とは、例えば、図５のＳ１０７までの処理が行われたことである。本実施形態の構成により、シート収納部３を開放させるときに、滞留しているシートが破れてしまうことを防ぐことができる。また、本実施形態は、シート収納部３の開放制御のための専用のハードウェア機構を必要としないので、簡易な構成でシートのダメージの発生を防ぐことができる。
【００４０】
［第２の実施形態］
以下、第２の実施形態について、第１の実施形態と異なる点について説明する。図６は、シート収納部３の開放制御の処理の手順を示す他のフローチャートである。図６の処理は、例えば、ＣＰＵ４５がＲＯＭ６１に記憶されたプログラムをＲＡＭ６２に読み出して実行することにより実現される。
【００４１】
Ｓ２０１において、ＣＰＵ４５は、所定の処理を開始する。例えば、ＣＰＵ４５は、装置本体１において印刷ジョブの実行が開始され、シート給紙の指示を装置本体１から受信した場合に、所定の処理としてシート給送処理を開始する。
【００４２】
Ｓ２０２において、ＣＰＵ４５は、給紙ローラ対３１ｇのニップ部にシートＳが進入してジャムが発生しているかを判断するために、搬送路センサ４４がオンであるかオフであるかを判定する。ここで、搬送路センサ４４がオフであると判定された場合、ジャムが発生していないと判断し、Ｓ２１０へ進む。Ｓ２１０において、ＣＰＵ４５は、所定の処理が終了したか否かを判定する。所定の処理が終了したと判定された場合、図６の処理を終了し、所定の処理が終了していないと判定された場合、Ｓ２０２の処理を繰り返す。
【００４３】
Ｓ２０２で搬送路センサ４４がオンであると判定された場合、ジャムが発生していると判断し、Ｓ２０３において、ＣＰＵ４５は、シート収納部３の開放動作を制限する。例えば、ＣＰＵ４５は、スイッチ３９が押下されてシート収納部３の開放要求信号を受信した場合であっても、その開放要求信号を破棄するようにする。Ｓ２０４〜Ｓ２０８は、図５のＳ１０３〜Ｓ１０７における説明と同じであるので、それらの説明を省略する。
【００４４】
Ｓ２０９において、ＣＰＵ４５は、シート収納部３の開放の制限を解除する。例えば、ＣＰＵ４５は、スイッチ３９が押下されてシート収納部３の開放要求信号を受信すると、ドライバ５４を介してロックソレノイド５５によるシート収納部３の固定状態を解除してシート収納部３を開放させる。Ｓ２０９の後、図６の処理を終了する。
【００４５】
以上のように、本実施形態によれば、給紙デッキ２が所定の処理を実行中に、装置本体１と給紙デッキ２との間のシート搬送路上の接続部分にシートが滞留しているのであれば、シート収納部３の開放動作を制限する。つまり、所定の処理を実行中にジャムが発生した場合、スイッチ３９の押下によるシート収納部３の開放要求信号を受信しても、シート収納部３を開放させない。その結果、シート収納部３を開放させるときに、滞留しているシートが破れてしまうことを防ぐことができる。
【００４６】
本実施形態では、所定の処理としてジョブの実行に伴うシート給紙処理を説明したが、他の処理であっても良い。例えば、装置本体１や給紙デッキ２の電源投入後の初期化処理であっても良い。その場合、初期化処理を行っている最中に滞留シートが存在した場合、シート収納部３の開放動作により滞留シートが破れ、初期化処理が適切に行われなくなってしまうことを防ぐことができる。
【符号の説明】
【００４７】
１  装置本体：  ２  給紙デッキ：  ４５  ＣＰＵ：  １００  画像形成システム
【図１】
2019112151.tif 000003
【図２】
2019112151.tif 000004
【図３】
2019112151.tif 000005
【図４】
2019112151.tif 000006
【図５】
2019112151.tif 000007
【図６】
2019112151.tif 000008